(57)【要約】【課題】  暦情報が比較的大きくて見やすく、カレンダーとしての使用目的が終了した後は置物として使用できる卓上カレンダーを形成しうるカレンダー用紙を提供する。【課題の解決手段】  カレンダー用紙１は、基材シート２に、その一面に透視可能なフィルム又はニスからなる補強層を設ける一方、この補強層に対応位置して組み立て部６を前記補強層とともに分離可能に設け、この組み立て部６は、互いの境界側に折り部５を有するとともに、前記境界側の反対側には互いを係止する係止部７ａ，８ａを有する一対のカレンダー部７，８からなり、各カレンダー部７，８の前記補強層とは反対側の面には暦情報１４，１５を表示し、一対のカレンダー部７，８は、組み立てた状態では上端から下端に向けて対向間隔が広がるように立ち上がり、適宜な物体の一対の側面を認識させる形態を有する。【選択図】    図１
2005305851.tif 000002
【特許請求の範囲】
【請求項１】
筆記性を有するシート基材に、その一面に透視可能なフィルム又はニスからなる補強層を設ける一方、この補強層に対応位置して組み立て部を前記補強層とともに分離可能に設け、この組み立て部は、互いの境界側に折り部を有するとともに、前記境界側の反対側には互いを係止する係止部を有する一対のカレンダー部からなることを特徴とするカレンダー用紙。
【請求項２】
筆記性を有するシート基材に、その一面に透視可能なフィルム又はニスからなる補強層を設ける一方、この補強層に対応位置して組み立て部を前記補強層とともに分離可能に設け、この組み立て部は、互いの境界側に折り部を有するとともに、前記境界側の反対側には互いを係止する係止部を有する一対のカレンダー部からなり、各カレンダー部の前記補強層とは反対側の面には暦情報を表示したことを特徴とするカレンダー用紙。
【請求項３】
一対のカレンダー部は、組み立てた状態では上端から下端に向けて対向間隔が広がるように立ち上がり、適宜な物体の一対の側面を認識させる形態を有することを特徴とする請求項１又は請求項２記載のカレンダー用紙。
【請求項４】
シート基材の組み立て部以外の部分に、組み立て部を組み立てた後にこの組み立て部に着脱可能に係止する情報表示片を、補強層とともに分離可能に設けたことを特徴とする請求項１〜請求項３のいずれか１項記載のカレンダー用紙。
【発明の詳細な説明】
【技術分野】
【０００１】
本発明は、カレンダー用紙に関し、特に、立体的な卓上カレンダーとしての使用に適したカレンダー部を有するカレンダー用紙に関する。
【背景技術】
【０００２】
従来、卓上カレンダーとしての使用に適した暦情報を表示したカレンダー用紙としては、カレンダー用紙自体を卓上カレンダーとして使用し、その一部を剥離することで暦情報を月毎に露出するよう構成したものが知られている。また、組み立てて置物として使用する立体物の一部に暦情報を表示した卓上カレンダーも知られている。
【特許文献１】特許第３２７２４９７号公報
【特許文献２】特開２００２−１１３９９８号公報
【発明の開示】
【発明が解決しようとする課題】
【０００３】
しかしながらこの従来例によると、暦情報の表示面積が狭いものにならざるをえないので、カレンダーとしては曜日や日付けの文字が小さくなって見にくいというという不都合があった。また、置物として使用するものでは、表示した暦情報に対応する月日が過ぎることによって、カレンダーとしての使用目的が終了しても暦情報表示部分はそのまま残るので、置物として室内に飾っておくには違和感があるという不都合もあった。本発明は、これらの不都合を解消したカレンダー用紙を提供することを目的とする。
【課題を解決するための手段】
【０００４】
この目的を達成するため、本発明の請求項１に係るカレンダー用紙は、筆記性を有する、すなわち印字、印刷、手書き記入が可能なシート基材に、その一面に透視可能なフィルム又はニスからなる補強層を設ける一方、この補強層に対応位置して組み立て部を前記補強層とともに分離可能に設け、この組み立て部は、互いの境界側に折り部を有するとともに、前記境界側の反対側には互いを係止する係止部を有する一対のカレンダー部からなるものである。
【０００５】
同じく上述の目的を達成するために、本発明の請求項２に係るカレンダー用紙は、筆記性を有する、すなわち印字、印刷、手書き記入が可能なシート基材に、その一面に透視可能なフィルム又はニスからなる補強層を設ける一方、この補強層に対応位置して組み立て部を前記補強層とともに分離可能に設け、この組み立て部は、互いの境界側に折り部を有するとともに、前記境界側の反対側には互いを係止する係止部を有する一対のカレンダー部からなり、各カレンダー部の前記補強層とは反対側の面には暦情報を表示したものである。
【０００６】
同じく上述の目的を達成するために、本発明の請求項３に係るカレンダー用紙は、上述した請求項１又は請求項２に係るカレンダー用紙の構成において、一対のカレンダー部は、組み立てた状態では上端から下端に向けて対向間隔が広がるように立ち上がり、適宜な物体の一対の側面を認識させる形態を有するものである。
【０００７】
同じく上述の目的を達成するために、本発明の請求項４に係るカレンダー用紙は、上述した請求項１〜請求項３のいずれか１項に係るカレンダー用紙の構成において、シート基材の組み立て部以外の部分に、組み立て部を組み立てた後にこの組み立て部に着脱可能に係止する情報表示片を、補強層とともに分離可能に設けたものである。
【発明の効果】
【０００８】
本発明の請求項１に係るカレンダー用紙によれば、暦情報の表示面積を十分確保できるとともに、パソコンに接続したカラープリンタなどを利用して、補強層と反対面側のカレンダー部に暦情報も含めて自分でデザインした図柄や情報を表示したカレンダー用紙を作成できるという効果を奏する。また、本発明の請求項２に係るカレンダー用紙によれば、暦情報の表示面積を十分確保できるので、読み取り易い大きさに暦情報を表示できるとともに、補強層を設けたので耐久性に優れ、柔らかな和紙のような材質でも組み立てることにより安定した立体的な形状とすることができるとともに、筆記性のあるカレンダーを提供できるものである。また、本発明の請求項３に係るカレンダー用紙によれば、前記各効果に加えて、カレンダーとしての使用目的が終了した後は、表裏反転し、補強層設定面側を表出面として組み立て直すことにより、暦情報等の文字情報が存在しない通常の置物と同様に使用することができる。さらに、本発明の請求項４に係るカレンダー用紙によれば、前記各効果に加えて、情報表示片を分離可能に設けることにより、置物としての装飾性に加え、前記情報表示片に新たな月の暦情報を表示したり、企業での勤務状態を表示して、組み立て後の組み立て部に着脱可能に係止できるものである。
【発明を実施するための最良の形態】
【０００９】
以下、本発明の好適な実施形態を添付図面に基づいて説明する。ここにおいて、図１は第１実施形態を示す概略的な平面図、図２はその裏面側を示す背面図、図３は図１のＡ−Ａ線断面図、図４はその使用状態を示す斜視図、図５は第２実施形態を示す概略的な平面図、図６はその裏面側を示す背面図、図７は図５のＢ−Ｂ線断面図、図８はその使用状態を示す斜視図、図９は情報表示片の使用状態を示す断面図である。
【００１０】
まず、第１実施形態について説明すると、図１〜図３に示すように、カレンダー用紙１は、紙製のシート基材２の裏面に、四周縁を一定幅で除いた部分に透明樹脂フィルム３を貼着して補強層としている。前記シート基材２の透明樹脂フィルム３に対応する部分には、一対のカレンダー部７，８からなる組み立て部６をスリット４で区画形成し、前記透明樹脂フィルム３には、前記スリット４に対応して、ブリッジ部が短くてカット部が長い、切断が容易なミシン目９を設けている。なお、このスリット４とミシン目９に換えて、前記シート基材２と前記透明樹脂フィルム３とを貫通するミシン目を採用することもできる。
【００１１】
一対のカレンダー部７，８は、恐竜の側面形状を象ったもので、互いの境界である頭部の連接部分に折り部たる折り用ミシン目５を有し、前記境界側と反対の脚部側には互いを係止するほぼ長方形状の係止部７ａ，８ａを折り用ミシン目１０，１１を境に設けている。前記各折り用ミシン目５，１０，１１は、シート基材２と透明樹脂フィルム３とを貫通するよう設けている。また、一方の係止部７ａには二つの係止孔１２，１２を設け、他方の係止部８ａには前記各係止孔１２，１２にそれぞれ挿通係止するための係止片１３，１３を設けている。
【００１２】
図１に示すように、シート基材２の表面には、各カレンダー部７，８に、それぞれ１月と２月に対応する月の曜日と日付である暦情報１４，１５を「１月」、「２月」という月表示とともに印刷してある。また、シート基材２の表面の上端部には、組み立て部６を組み立てて形成する置物の内容を示す「恐竜シリーズ」なる表題１６と、２００４年を２ヶ月毎に分けた６枚の「恐竜シリーズ」の中、１枚目のカレンダー用紙であることを示す「２００４．Ｖｏｌ．１」なる表示を印刷している。
【００１３】
さらに、シート基材２の表面には、カレンダー用紙１の使用法を示す説明文１６と、シリーズ２枚目のカレンダー用紙の入手案内１７を印刷するとともに、カレンダー用紙１の提供者である生命保険会社名と担当者名及び電話番号を印字し、担当者情報１８としている。この担当者情報１８は、当初印字されておらず、各担当者にカレンダー用紙１が配布された後、各担当者が自己に関する情報を日常業務で使用しているパソコンのプリンタを用いて印字するものである。
【００１４】
カレンダー部７，８の透明樹脂フィルム３で被覆された裏面側は、図２では明らかでないが、恐竜を認識させる色彩を施しているだけで、文字情報は何も表示されていない。このカレンダー部７，８の裏面側が、カレンダーとしての使用目的が終了した後に、表裏を反転して置物として再組立する際に表出する面であり、透明樹脂フィルム３の存在により、汚れにくく、耐久性に優れたものとなる。また、シート基材２の裏面における透明樹脂フィルム３で被覆されていない上端部には、カレンダーとしてだけでなく、置物としても使えることを示す「保存用」なる言葉が印刷されている。
【００１５】
続いて、以上のように構成した本実施形態に係るカレンダー用紙１の使用方法を説明する。生命保険会社の担当者が図１〜図３に示す状態のカレンダー用紙１を、顧客に配布する。このカレンダー用紙１を受け取った顧客は、スリット４及びミシン目９でカレンダー部７，８を分離し、図４に示すように、暦情報１４，１５が表出するようにして折り用ミシン目５で２つ折りし、各係止部７ａ，８ａも各折り用ミシン目１０，１１で互いに折り重ね、各係止片１３，１３を各係止孔１２，１２に挿入係止して組み立て、１，２月分の卓上カレンダーとして使用するものである。
【００１６】
３月になって卓上カレンダーとしての使用目的が終了した後は、図４に示す組み立て状態を一度解除し、表裏を反転して暦情報１４，１５が裏面側となるように、各折り用ミシン目５，１０，１１で折返して、各係止片１３，１３を各係止孔１２，１２に挿入係止して再組立すると、恐竜を象った装飾用の置物となる。そして、透明樹脂フィルム３面が表出するので、光沢があって見栄えがよいとともに、汚れにくく、耐久性に優れたものとなる。
【００１７】
上述した実施形態にあっては、シート基材２の裏面に透明樹脂フィルム３を設けたので、前記シート基材２の表面のカレンダー部７，８には、カレンダー用紙１を顧客に提供する前に、あるいは顧客がカレンダー用紙１の提供を受けた後に、所望の情報を印字あるいは手書き記入できる。
【００１８】
次に、第２実施形態について図５〜図９に基づいて説明する。図５〜図７に示すように、カレンダー用紙２１は、紙製のシート基材２２の裏面に、四周縁を一定幅で除いた部分に透明樹脂フィルム２３を粘着剤４６で貼着して補強層とし、さらに、前記透明樹脂フィルム２３に対して樹脂フィルム４７を、疑似接着層４８を介して剥離可能に疑似接着している。そして、前記シート基材２２の透明樹脂フィルム２３に対応する部分には、前記疑似接着層４８に達するスリット２４で一対のカレンダー部２７，２８からなる組み立て部２６を区画形成し、この組み立て部２６は前記透明樹脂フィルム２３とともに前記樹脂フィルム４７から剥離可能である。
【００１９】
一対のカレンダー部２７，２８は、帆船の側面形状を象ったもので、互いの境界側である船底にあたる連接部分２５との境には、それぞれ折り部たる折り用ミシン目３０，３１を有し、前記連接部分２５と反対側には互いを係止するための三角形状の係止部２７ａ，２８ａを設けている。前記各ミシン目３０，３１は、シート基材２２から疑似接着層４８に達するよう設けている。また、前記各係止部２７ａ，２８ａを係止するために嵌合するの四角状の係止リング３２を、前記係止部２７ａの近傍に、シート基材２２から疑似接着層４８に達するスリット３３ａ，３３ｂによって形成し、この係止リング３２は透明樹脂フィルム２３とともに樹脂フィルム４７から剥離可能となっている。
【００２０】
図５に示すように、シート基材２２の表面には、各カレンダー部２７，２８の帆にあたる部分に、それぞれ１月と２月に対応する月の曜日と日付である暦情報３４，３５を「１月」、「２月」という月表示とともに印刷してある。また、前記各カレンダー部２７，２８の帆にあたる部分の下端には挿入孔３６，３７を設けている。
【００２１】
シート基材２２の組み立て部２６以外の余白に、組み立て部２６を組み立てた後に使用する帆を象った４つの情報表示片３８，３９，４０，４１を、前記組み立て部２６と同様に、シート基材２２から疑似接着層４８に達するスリット４２，４３，４４，４５で区画形成し、透明樹脂フィルム２３とともに樹脂フィルム４７から剥離可能としている。前記情報補助片３８には「外出中」、前記情報補助片３９には「休暇」とそれぞれ印字されている。また、前記情報補助片４０には３月に対応する月の曜日と日付である暦情報５０を「３月」という月表示とともに印刷し、前記情報補助片４１には、４月に対応する月の曜日と日付である暦情報５１を「４月」という月表示とともに印刷してある。そして、これらの各情報補助片３８，３９，４０，４１の上端には、各一対の係止片３８ａ，３８ｂ，３９ａ，３９ｂ，４０ａ，４０ｂ，４１ａ，４１ｂを突設し、下端には挿入片３８ｃ，３９ｃ，４０ｃ，４１ｃを突設している。
【００２２】
シート基材２２表面の上端部には、組み立て部２６を組み立てて形成する置物の内容を示す「世界の帆船シリーズ」なる表題５２と、２００４年を２ヶ月毎に分けた「世界の帆船シリーズ」の１枚目のカレンダー用紙であることを示す「２００４．Ｖｏｌ．１」なる表示を印刷している。
【００２３】
なお、シート基材２２の表面の余白部分には、上述した第１の実施形態と同様に、カレンダー用紙２１の使用法を示す説明文５７を印刷するとともに、カレンダー用紙２１の提供者である生命保険会社名と担当者名及び電話番号を印字し、担当者情報５３とするとともに、各カレンダー部２７，２８の船体部分にも生命保険会社名と担当者名からなる担当者情報５４，５５を印字している。これらの担当者情報５３，５４，５５は、当初印字されておらず、各担当者にカレンダー用紙２１が配布された後、各担当者が自己に関する情報を日常業務で使用しているパソコンのプリンタを用いて印字するものである。
【００２４】
カレンダー部２７，２８の透明樹脂フィルム２３で被覆された裏面側は、図６では明らかでないが、帆船を認識させる色彩を施し、文字情報は何も表示していない。このカレンダー部２７，２８の裏面側が、カレンダーとしての使用目的が終了した後に、表裏を反転して置物として再組立する際に表出する面であり、透明樹脂フィルム２３の存在により、汚れにくく、耐久性に優れる。シート基材２２の裏面における透明樹脂フィルム２３で被覆されていない上端部には、カレンダーとしてだけでなく、置物としても使えることを示す「保存用」なる言葉が印刷されている。また、情報補助片４０の裏面には、透明樹脂フィルム２３で被覆する前段階で、「おすすめレシピ」と題した料理情報５６を印刷している。この料理情報５６のような各種情報を他の情報補助片３８，３９，４１にも印刷しておいてもよい。
【００２５】
以上のように構成した本実施形態に係るカレンダー用紙２１の使用方法は、上述した第１の実施形態と基本的に同様であり、生命保険会社の担当者が図５状態のカレンダー用紙２１を顧客に配布し、このカレンダー用紙２１を受け取った顧客は、スリット２４部分からカレンダー部２７，２８を捲り上げて、透明樹脂フィルム２３とともに樹脂フィルム４７から剥離し、係止リング３２を各スリット３３ａ，３３ｂ部分から捲り上げて、透明樹脂フィルム２３とともに樹脂フィルム４７から剥離する。このようにシート基材２２から分離した各カレンダー部２７，２８は、図８に示すように、暦情報３４，３５が表出するようにして折り用ミシン目３０，３１で折り返し、各係止片２７ａ，２８ａを接合したうえ係止リング３２を嵌合して組み立て、１，２月分の卓上カレンダーとして使用するものである。
【００２６】
この使用時に、各情報補助片３８，３９を、各スリット４２，４３部分から捲り上げて透明樹脂フィルム２３とともに樹脂フィルム４７から剥離し、勤務中に外出するときや、欠勤するときに、対応する情報を印字した情報補助片３８，３９の挿入片３８ｃ，３９ｃを、一方の挿入孔３６，３７に挿入し、一対の係止片３８ａ，３８ｂ，３９ａ，３９ｂを裏面側に折り曲げて、カレンダー部２７，２８における帆の部分の上端に引っかけることによって、前記情報補助片３８，３９を図９に示すように係止することができる。
【００２７】
３月になった場合には、情報補助片４０を透明樹脂フィルム２３とともに樹脂フィルム４７から剥離して、上述したのと同様にして、カレンダー部２７，２８の一方に前記情報補助片４０を図９に示すように係止して、卓上カレンダーとして使用することができる。また、４月になった場合には、情報補助片４１を透明樹脂フィルム２３とともに樹脂フィルム４７から剥離して、上述したと同様にして、カレンダー部２７，２８の一方に前記情報補助片４１を図９に示すように係止して、卓上カレンダーとして使用することができる。さらに、裏面側の料理情報５６が表出するようにして、前記情報補助片４０をいずれかのカレンダー部２７，２８に係止してもよい。
【００２８】
卓上カレンダーとしての使用目的が終了した後は、図８に示す組み立て状態を一度解除し、表裏を反転して暦情報３４，３５が裏面側となるように、各折り用ミシン目３０，３１で折返し、各係止片２７ａ，２８ａを接合したうえ係止リング３２を嵌合して再度組み立てると、何らの文字情報も表出しない、帆船を象った装飾用の置物となる。そして、透明樹脂フィルム２３面が表出するので、光沢があって見栄えがよいとともに、汚れにくく、耐久性に優れたものとなる。
【００２９】
上述した実施形態にあっても、シート基材２２の裏面に透明樹脂フィルム２３を設けたので、前記シート基材２２の表面のカレンダー部２７，２８には、カレンダー用紙２１を顧客に提供する前に、あるいは顧客がカレンダー用紙２１の提供を受けた後に、所望の情報を印字あるいは手書き記入できる。
【００３０】
なお、本発明は上述の各実施形態に限定されるものではなく、例えば、各カレンダー部７，８，２７，２８の象る形状は恐竜や帆船に限らず、適宜選択可能であるほか、四角形状や三角形状でもよい。また、ある物体を象った形状でない場合には、印刷等の表示手段により、背景等とともに物体を表示して、置物として使用してもよい。さらに、各カレンダー部７，８，２７，２８を分離するための構成を、スリット４，２４を用いずに、破断が容易なミシン目のみで構成してもよい。さらにまた、上述の各実施形態では、シート基材２，２２の補強層３，２３と反対側の面に説明文１６，１７や暦情報１４，１５，３４，３５，５０，５１等をあらかじめ印刷しているものとして説明したが、前記補強層３，２３と反対側の面には、何も印刷しないカレンダー用紙１，２１としておき、使用する際に、カラーのレーザープリンタ等を利用して、担当者情報１８，５３，５４，５５や説明文１６，１７あるいは暦情報１４，１５，３４，３５，５０，５１等のカレンダー用紙１，２１の使用に必要なデータを印字することにより、使用者が必要な時に、必要な分だけカレンダー用紙１，２１を作成することができる。 
【図面の簡単な説明】
【００３１】
【図１】第１実施形態を示す概略的な平面図。
【図２】同じく背面図。
【図３】図１のＡ−Ａ線断面図。
【図４】同実施形態の使用状態を示す斜視図。
【図５】第２実施形態を示す概略的な平面図。
【図６】同じく背面図。
【図７】図５のＢ−Ｂ線断面図。
【図８】同実施形態の使用状態を示す斜視図。
【図９】同じく情報補助片の使用状態を示す縦断面図。
【符号の説明】
【００３２】
１，２１      カレンダー用紙
２，２２      シート基材
３，２３      透明樹脂フィルム
４，２４，４２，４３，４４，４５      スリット
５，１０，１１，３０，３１      折り用ミシン目
６，２６      組み立て部
７，８，２７，２８      カレンダー部
９，３３ａ，３３ｂ      ミシン目
１４，１５，３４，３５，５０，５１      暦情報
１８，５３，５４，５５      担当者情報
４６      粘着剤
４７      樹脂フィルム
４８      疑似接着層
【図１】
2005305851.tif 000003
【図２】
2005305851.tif 000004
【図３】
2005305851.tif 000005
【図４】
2005305851.tif 000006
【図５】
2005305851.tif 000007
【図６】
2005305851.tif 000008
【図７】
2005305851.tif 000009
【図８】
2005305851.tif 000010
【図９】
2005305851.tif 000011